(57)【要約】【課題】  血圧、心電波形、体脂肪の測定機能を備えた小形の健康管理装置を提供する。【解決手段】  健康管理装置１は、血圧を測定するためのカフ６と、心電波形及び体脂肪を測定するための電極１１〜１４を有する装置本体２と、装置本体２に設けられた表示パネル３とを備えている。表示パネル３は回動可能に構成されており、不使用時には装置本体２に設けられた収納凹部４に収納しておくことができる。【選択図】  図１
2006187450.tif 000002
【特許請求の範囲】
【請求項１】
血圧測定部材、一組の心電波形測定用電極、一組の体脂肪測定用電極を有する本体と、
前記血圧測定部材を用いて血圧値を検出する血圧検出手段と、
前記心電波形測定用電極を用いて心電波形を検出する心電波形検出手段と、
前記体脂肪測定用電極を用いて体脂肪を検出する体脂肪検出手段と、
前記検出手段によって検出された血圧、心電波形、体脂肪に関する情報を表示する表示手段とを備えた健康管理装置。
【請求項２】
血圧測定部材は、本体の上面に設けられ手首部を測定部位とするカフから構成されていることを特徴とする請求項１記載の健康管理装置。
【請求項３】
１個の心電波形測定用電極及び２個の体脂肪測定用電極は、前記本体のうち前記血圧測定部材が手首部に装着されたときに前記手首部に対応する手の平が触れる範囲に設けられていることを特徴とする請求項２記載の健康管理装置。
【請求項４】
血圧測定部材は、本体の上面に設けられ手指を測定部位とするカフから構成されていることを特徴とする請求項１記載の健康管理装置。
【請求項５】
心電波形測定用電極の少なくとも一部及び体脂肪測定用電極の少なくとも一部は共通の電極から構成されていることを特徴とする請求項１記載の健康管理装置。
【請求項６】
表示手段は、本体の中央部に配置された表示画面を備え、
心電図測定用電極の一部及び体脂肪測定用電極の一部は、前記本体のうち前記表示画面の右部に配置され、残りの心電図測定用電極及び体脂肪測定用電極は、前記本体のうち前記表示画面の左部に配置されていることを特徴とする請求項１記載の健康管理装置。
【請求項７】
血圧検出手段が血圧値を検出する動作と、心電波形検出手段が心電波形を検出する動作とは並行して実行可能に構成されていることを特徴とする請求項１記載の健康管理装置。
【請求項８】
血圧測定部材は被験者の上腕部を測定部位とするカフから構成され、
本体の上面に設けられ前記上腕用カフを収納する収納凹部と、前記本体に回動可能に設けられ前記上腕用カフが収納された前記収納凹部を塞ぐ閉鎖状態と起立状態とに切り換え可能な蓋体とを備え、
表示手段は、前記蓋体に設けられた表示画面を備えていることを特徴とする請求項１記載の健康管理装置。
【発明の詳細な説明】
【技術分野】
【０００１】
本発明は、血圧、心電波形、体脂肪の測定手段を備えた健康管理装置に関する。
【背景技術】
【０００２】
血圧や心電図の波形パターン、体脂肪量等は、種々の疾病の診断や治療効果の確認に用いられており、健康状態を示す指標となる。そこで、わざわざ病院に行かなくても血圧や心電波形、体脂肪を測定することができるように、家庭での使用が可能な種々の測定装置が提供されている。このような測定装置を用いることにより、血圧や心電波形、体脂肪を日常的に測定することができるため、健康状態を自己管理することができる（例えば特許文献１及び２）。
【特許文献１】特開２００２−１１９４８８
【特許文献２】特開２００２−３０６４３９
【発明の開示】
【発明が解決しようとする課題】
【０００３】
ところが、前記測定装置は一般的に指標毎に設けられており、全ての指標を測定するためには全ての測定装置を購入する必要がある。また、複数の測定装置を購入した場合には、保管場所として大きなスペースが必要となる。
一方、複数の指標を測定できる測定装置も提供されているが、この場合は装置が大形であり、一般家庭に設置する場合は設置スペースの確保が困難となる。
本発明は上記事情に鑑みてなされたものであり、その目的は血圧、心電波形、体脂肪の測定機能を備えた小形の健康管理装置を提供することである。
【課題を解決するための手段】
【０００４】
本発明の健康管理装置は、血圧測定部材、一組の心電波形測定用電極、一組の体脂肪測定用電極を有する本体と、前記血圧測定部材を用いて血圧を検出する血圧検出手段と、前記心電波形測定用電極を用いて心電波形を検出する心電波形検出手段と、前記体脂肪測定用電極を用いて体脂肪を検出する体脂肪検出手段と、前記検出手段によって検出された血圧、心電波形、体脂肪に関する情報を表示する表示手段とを備えたことを特徴とする。
【発明の効果】
【０００５】
本発明によれば、血圧測定部材、心電波形測定用電極、体脂肪測定用電極の全てを本体にまとめて設けたため、装置の小形化を図ることができる。
【発明を実施するための最良の形態】
【０００６】
以下、本発明を具体化したいくつかの実施例について図面を参照しながら説明する。
図１ないし図８は本発明の第１の実施例を示している。図１及び図２に示すように、本実施例に係る健康管理装置１は、扁平な矩形箱状の装置本体２と、前記装置本体２の上面の後部に回動可能に設けられた表示パネル３とを備えて構成されている。前記装置本体２の上面の中央部には矩形状の収納凹部４が設けられている。前記表示パネル３は収納凹部４の後縁に設けられたヒンジ（図示せず）によって支持されている。前記表示パネル３は収納凹部４に収納可能になっており、収納凹部４に収納された状態（収納状態）から後方に約１８０度の範囲で回動させることができる。図１及び図２は、前記表示パネル３を収納状態から約９０度回動させた起立状態を示しており、このとき前記表示パネル３の前面となる部分には液晶表示画面５が取付けられている。
【０００７】
また、装置本体２は左前部がやや突出した形状をなしており、その上面には被験者の手首部に装着されるカフ６（血圧測定部材に相当）が設けられている。前記カフ６は、装置本体２に内蔵された加圧ポンプ７（図３参照）から送出される空気を溜める空気袋８と、その両端に一体的に設けられたバンド部９ａ，９ｂとから構成されている。前記バンド部９ａ，９ｂには、手首部に巻回されたカフ６を固定するための面ファスナー１０ａ，１０ｂが設けられている。
【０００８】
装置本体２の上面のうち収納凹部４の左部及び右部には、一対の電極１１，１２及び一対の電極１３，１４がそれぞれ設けられている。各電極１１〜１４はそれぞれ半楕円形状に構成されており、一対に組み合わせたときに楕円形状となるように配置されている。前記電極１１〜１４の上面は球面状に構成されており、被験者の手の平の中に電極１１〜１４がぴったりと収まって手の平と電極１１〜１４との間に安定的な接触状態が得られるようになっている。また、電極１１〜１４と手の平との接触面積を小さくして耐ノイズ性を向上するために、電極１１〜１４の表面には多数の小さな凸部１１ａ〜１４ａが設けられている。
【０００９】
後述するように、心電波形の測定時は４個の電極１１〜１４のうちの３個（電極１１，１３，１４）が用いられる。このとき、左部の電極１１はプラス電極として機能し、右部の電極１３，１４はそれぞれＧＮＤ電極、マイナス電極として機能する。また、体脂肪を測定するときは、全ての電極１１〜１４が用いられる。このとき、電極１１，１３は通電用電極として、電極１２，１４は計測用電極として機能する。即ち、本実施例では、４個の電極１１〜１４のうちの３個の電極１１，１３，１４は心電波形用電極及び体脂肪測定用電極として機能する。
【００１０】
装置本体２の上面部のうち収納凹部４の前部には、スタートボタン１５ａや「決定」ボタン１５ｂ、「選択」ボタン１５ｃ，１５ｃを備えた操作部１５が設けられている。
図３は、健康管理装置１の電気的構成を示すブロック図である。図３に示すように、健康管理装置１はＣＰＵ２０を中心に、血圧測定部２１、心電波形測定部２２、生体インピーダンス測定部２３、プログラム記憶部２４、データ記憶部２５、健康管理ソフトプログラム記憶部２６、表示回路２７、入力回路２８を備えて構成されている。表示回路２７には液晶表示画面５が接続されている。プログラム記憶部２４には、健康管理装置１の各部の動作を制御するプログラムが記憶されている。健康管理ソフトプログラム記憶部２６には、血圧測定部２１、心電は計測底部２２、生体インピーダンス測定部２３の測定結果の分析プログラムや評価プログラムが記憶されている。データ記憶部２５には、被験者の年齢や性別、体重、身長等の個人データや血圧測定部２１、心電波形測定部２２、生体インピーダンス測定部２３の測定値等が記憶されている。
【００１１】
入力回路２８は、操作部１５が備える各種ボタンの操作信号をＣＰＵ２０に与えるようになっている。これにて、ＣＰＵ２０は、被験者による操作部１５の操作やプログラム記憶部２４、健康管理ソフトプログラム記憶部２６に記憶されているプログラムに従って、血圧測定部２１、心電波形測定部２２、生体インピーダンス測定部２３の動作や表示回路２７を介した表示画面５の表示動作を制御する。
更に、ＣＰＵ２０には通信用端子２９が接続されている。前記通信用端子２９には、インターネット等の通信網を介してＷｅｂサーバとの間でデータ通信を行うための通信装置３０が接続されるようになっている。
【００１２】
前記血圧測定部２１には、加圧センサ３１、血圧センサ３２、排気弁３３、加圧ポンプ７が接続されている。血圧センサ３２は前記カフ６の空気袋８内に配置されている。血圧センサ３２が被験者の手首部の橈骨動脈と対向するように前記カフ６が被験者の手首に装着され、血圧測定を開始する旨の指示がなされると、ＣＰＵ２０は血圧測定部２１を介して加圧ポンプ７を駆動し、所定量の空気をカフ６の空気袋８に供給する。このとき、ＣＰＵ２０は、加圧センサ３１の検出結果に基づき最適な圧力で手首部の橈骨動脈に血圧センサ３２が押し当てられるように加圧ポンプ７の駆動を制御する。この後、排気弁３３が開放されて空気袋８内の空気が排気される過程における血圧センサ３２からの入力信号に基づき血圧値や脈拍数が検出される。
【００１３】
生体インピーダンス測定部２３には、４個の電極１１〜１４（２個の通電用電極１１，１３及び２個の計測用電極１２，１４）が接続されている。詳しい説明及び図示は省略するが、前記生体インピーダンス測定部２３は、通電用電極１１，１３間に一定電流を供給する定電流供給回路、２個の計測用電極１２，１４間に発生する電圧を測定する発生電圧測定回路を備えている。左右両対の電極１１〜１４に被験者の手の平が接触した状態で載せられ、測定開始の指示がなされると、電極１１，１３間に一定電流が供給され被験者の両手間に電流路が形成される。これにより被験者の腕部インピーダンスからなる生体インピーダンス、即ち電圧が発生し、電極１２，１４間の電圧が発生電圧測定回路によって測定される。測定された電圧値は、増幅回路にて増幅され、Ａ／Ｄ変換された後、ＣＰＵ２０に入力される。ＣＰＵ２０は、生体内に発生した電圧値及び電極間１１，１３に供給された電流値に基づき体内インピーダンス値を演算し、この体内インピーダンス値及び被験者の体重、年齢などの個人データから体脂肪量を演算する。
【００１４】
心電波形測定部２２には、３個の電極１１，１３，１４（プラス電極１１、ＧＮＤ電極１３、マイナス電極１４）が接続されている。心電波形測定部２２には、電極１３，１４に右の手の平を接触させた状態で左の手の平を電極１１に接触させたときに発生する電極１１，１３間の電圧値及び電極１３，１４間の電圧値が入力される。心電波形測定部２２は、入力された電圧値を増幅回路にて増幅し、Ａ／Ｄ変換した後、ＣＰＵ２０に入力する。ＣＰＵ２０は、入力された電圧値に基づき、心電波形、Ｒ波とＲ波との間（以下、Ｒ−Ｒ間）における心拍数等を演算する。
従って、本実施例では、ＣＰＵ２０は血圧検出手段、心電波形検出手段、体脂肪検出手段として機能する。
【００１５】
次に、上記した健康管理装置１の使用方法やその動作について説明する。健康管理装置１の表示パネル３を回動させて起立状態にする。すると、電源が投入され、表示画面５にメニュー画面（図示せず）が表示される。メニュー画面には、測定対象（血圧、体脂肪、心電図）を選択したり、過去の測定履歴を呼び出したり、被験者の個人データ（年齢や体重、身長、性別）を入力したりするための項目が表示される。
被験者は、選択ボタン１５ｃを操作して表示画面５上のカーソルを移動させ、決定ボタン１５ｂを押圧操作することにより、所望の項目を選択することができる。測定対象としては、血圧、体脂肪、心電図のいずれか１ないし２項目、或いは全ての項目を選択することができる。
【００１６】
ここでは全ての項目を測定対象として選択した場合について説明する。
被験者は、まず初めに、左手ＬＨの手首の橈骨動脈と対向する部位に空気袋が位置するようにカフ６を左手首ＬＷに巻き、面ファスナー１０ａ，１０ｂで固定する。続いて、スタートボタン１５ａを押圧操作した後、左手ＬＨの手の平を左側の電極１１，１２の上面に、右手ＲＨの手の平を左側の電極１３，１４の上面に載せる。スタートボタン１５ａが押圧操作された後、所定時間（例えば１０秒）経過すると、ＣＰＵ２０は血圧測定動作及び心電波形測定動作を血圧測定部２１及び心電波形測定部２２に実行させる。即ち、加圧ポンプ７を駆動して空気袋８の中に空気を供給し、血圧センサ３２を最適な圧力で橈骨動脈付近に押し当てる。続いて、排気弁３３を開放して空気袋８内の空気を排出し、この過程における血圧センサ３２の検出値をＣＰＵ２０に入力する。ＣＰＵ２０は、入力された血圧の検出値に基づき最高血圧、最低血圧や脈拍数を演算し、データ記憶部２５に記憶する。また、心電波形測定部２２は、電極１１，１３間の電圧値及び電極１３，１４間の電圧値をＣＰＵ２０に入力する。これにより、ＣＰＵ２０は、心電波形や心拍数等を演算し、データ記憶部２５に記憶する。
【００１７】
心電波形測定動作が終了すると、ＣＰＵ２０は生体インピーダンス測定部２３を動作させる。即ち、電極１１，１３間に一定電流が供給され、電極１２，１４間に発生する電圧値がＣＰＵ２０に入力される。これにより、ＣＰＵ２０は体脂肪量を演算し、データ記憶部２５に記憶する。
【００１８】
全ての項目の測定動作が終了すると、ＣＰＵ２０は測定結果の解析や評価を行い、その解析結果、評価結果を測定結果と共に表示画面５に表示する。図５〜図８は表示画面５に表示された測定結果や解析結果、評価結果の一例を示している。図５は、全ての測定項目の結果をまとめて表示した例を示している。このように全ての測定項目の結果をまとめて表示することにより、自己の健康状態を一目で確認することができる。また、図６〜８は、各測定項目の結果を単独で表示された例を示している。この場合は、図５に示したものよりも拡大して各測定項目の結果を表示することができるため、見易いという効果がある。
【００１９】
このように、本実施例によれば、血圧、体脂肪、心電波形を測定するためのカフ６や電極１１〜１４の全てを装置本体２に設けたため、使い勝手が良い。しかも、４個の電極のうちの３個は、体脂肪測定用及び心電波形測定用を兼用するように構成した。このため、健康管理装置１に設ける電極の数を少なく抑えることができ、装置本体２の小形化を図ることができる。
【００２０】
また、カフ６に手首部を挿入したときに手の平が位置する範囲に電極１１，１２を設けた。このため、血圧を測定する姿勢のままで心電波形や体脂肪を測定することができる。
装置本体２とは別に表示パネル３を設け、前記表示パネル３に液晶表示画面５を設置した。このため、表示画面５を比較的大きくすることができる。更に、装置本体２の収納凹部４に表示パネル３を収納可能に構成したため、装置本体２とは別に表示パネル３を設けたことによる健康管理装置１の大形化を極力抑えることができる。
【００２１】
血圧と心電波形とを並行して測定可能に構成した。このため、測定時間の短縮化を図ることができる。尚、発明者の実験によると、本実施例の健康管理装置１を用いて血圧、心電波形、体脂肪の全てを測定するために要する時間（測定開始から終了までの時間）は約１分となる。また、血圧及び心電波形はいずれも心臓の機能を診断するための指標であることから、測定タイミングをほぼ同じにしたことにより測定結果を精度良く解析・評価することができる。
【００２２】
図９ないし図１１は本発明の第２の実施例を示しており、第１の実施例と異なるところを説明する。尚、第１の実施例と同一部分には同一符号を付している。この第２の実施例では、装置本体２を矩形状の表示部４１と、表示部４１の左右部に一体的に設けられた測定部４２，４３とから構成している。表示部４１の上面は後方から前方に向かって下方に傾斜する傾斜面となっており、そのほぼ中央部には液晶表示画面４４が設けられている。また、表示部４１の前部にはスタートスイッチ１５ａや「決定」スイッチ１５ｂ、「選択」スイッチ１５ｃを備えた操作部１５が設けられている。
【００２３】
左右部の測定部４２，４３は、いずれも底面部が平坦面となっているものの全体としてラグビーボールのような形状に構成されており、手の平で握りやすい形状となっている。また、左右の測定部４２，４３の上面にはそれぞれ一対の電極４５，４６及び一対の電極４７，４８が取付けられている。第１の実施例と同様に、電極４５〜４８の表面には多数の小さな凸部４５ａ〜４８ａが設けられている。そして、心電波形を測定するときは、左部の１個の電極４５と右部の一対の電極４７，４８が用いられ、体脂肪を測定するときは、全ての電極４５〜４８が用いられる。
【００２４】
左部の測定部４３の後部には左の手指を血圧測定部位とするカフ４９が設けられている。前記カフ４９は、左部の測定部４３を左手ＬＨで握ったときに左手の人差し指Ｆを容易に挿入できる部位に配置され、内部には加圧ポンプ７（図３参照）から送出された空気が溜められる空気袋（図示せず）が設けられている。
上記構成によれば、装置本体２に表示画面を設けたため、健康管理装置１の一層の小形化を図ることができる。
【００２５】
図１２は本発明の第３の実施例を示しており、第１の実施例と異なるところを説明する。尚、第１の実施例と同一部分には同一符号を付している。この第３の実施例では、手首部を血圧測定部位とするカフ６に代えて、上腕部を血圧測定部位とするカフ５１が設けられている。前記カフ５１はエアチューブ５２により加圧ポンプ７（図３参照）と連結されている。カフ５１及びエアチューブ５２は装置本体２上面の中央に設けられた収納凹部５３に収納されるようになっている。前記収納凹部５３は第１の実施例に示した収納凹部４よりも深く構成されており、カフ５１及びエアチューブ５２が収納された状態で更に表示パネル３が収納可能に構成されている。つまり、本実施例では、表示パネル３は蓋体として機能する。
このような構成においても、第１の実施例と同様の作用、効果を得ることができる。
【００２６】
図１３は本発明の第４の実施例を示しており、第３の実施例と異なるところを説明する。尚、第３の実施例と同一部分には同一符号を付している。この第４の実施例では、電極１１〜１４の配置が第３の実施例と異なっている。即ち、電極１１，１２は装置本体２の上面左端部から左側面にかかる部分に、電極１３，１４は装置本体２の上面右端部から右側面にかかる部分に設けられている。
上記構成によれば、装置本体２をテーブル等に置き、両手の平で電極１１〜１４に触れた状態、或いは、装置本体２のうち電極１１〜１４の周辺部分を両手で握った状態で測定することができ、測定姿勢の自由度が大きくなる。
【００２７】
尚、本発明は上記した実施例に限定されるものではなく、例えば次のような変形が可能である。
血圧値は、ＬＥＤ等を用いた光による測定方法を採用することができる。
操作方法を音声で知らせる機能を備える構成としても良い。
【図面の簡単な説明】
【００２８】
【図１】本発明の第１の実施例を示す健康管理装置の上面図
【図２】健康管理装置の正面図
【図３】健康管理装置の電気的構成を示すブロック図
【図４】被験者による血圧、心電波形、体脂肪の測定時の様子を示す図１相当図
【図５】血圧値、心電波形、体脂肪の測定結果の表示例を示す図
【図６】血圧値の測定結果の表示例を示す図
【図７】心電波形の測定結果の表示例を示す図
【図８】体脂肪の測定結果の表示例を示す図
【図９】本発明の第２の実施例を示す図１相当図
【図１０】図２相当図
【図１１】被験者による血圧、心電波形、体脂肪の測定時の様子を示す健康管理装置の斜視図
【図１２】本発明の第３の実施例を示す図１相当図
【図１３】本発明の第４の実施例を示す図１相当図
【符号の説明】
【００２９】
図面中、１は健康管理装置、２は装置本体、３は表示パネル（蓋体）、４，５３は収納凹部、５，４４は液晶表示画面、６，４９，５１はカフ（血圧測定部材）、１１〜１４，４５〜４８は電極、２０はＣＰＵ（血圧検出手段、心電波形検出手段、体脂肪検出手段）、２１は血圧測定部、２２は心電波形測底部、２３は生体インピーダンス測定部を示す。
【図１】
2006187450.tif 000003
【図２】
2006187450.tif 000004
【図３】
2006187450.tif 000005
【図４】
2006187450.tif 000006
【図５】
2006187450.tif 000007
【図６】
2006187450.tif 000008
【図７】
2006187450.tif 000009
【図８】
2006187450.tif 000010
【図９】
2006187450.tif 000011
【図１０】
2006187450.tif 000012
【図１１】
2006187450.tif 000013
【図１２】
2006187450.tif 000014
【図１３】
2006187450.tif 000015